(57)【要約】【課題】本発明は、エプロンを着用しての作業中に手拭きタオルなどが必要となった場合にタオルをとりに行く手間と時間を短縮し、同時にエプロン本体の汚れを防止することができるタオル掛け機能及び保持具付きエプロンを提供する事を目的とする。【解決手段】  多様な形状のエプロンを対象としたエプロン本体と、エプロン本体前身ごろの腹部に平行して設置した、主に手拭きタオル等の布製品を掛ける機能を果たすひも帯からなる物掛け部と、物掛け部の上部に設けられ、物掛け部にかけられた手拭きタオルなどを固定したり、あるいはメモやレシピなどの紙片などを保持するものとしての保持具を有したことを特徴とするエプロン。【選択図】図１
2019151958.tif 000002
【特許請求の範囲】
【請求項１】
多様な形状のエプロンを対象としたエプロン本体と、エプロン本体前身ごろの腹部に平行して設置した、主に手拭きタオル等の布製品を掛ける機能を果たすひも帯からなる物掛け部と、物掛け部の上部に設けられ、物掛け部にかけられた手拭きタオルなどを固定したり、あるいはメモやレシピなどの紙片などを保持するものとしての保持具を有したことを特徴とするエプロン。
【発明の詳細な説明】
【技術分野】
【０００１】  本発明は、用途に応じて多様な種類の形状のあるエプロンに関し、エプロン本体前身ごろの腹部の位置に作業中に必要となる手拭きタオルなどを掛けられ、また掛けた手拭きタオルを固定したり、メモやレシピの紙片や必要な物なども保持できる清潔、利便性を高めることが可能なエプロンに関するものである。
【背景技術】
【０００２】  従来、例えば特許文献１では、エプロン本体に、ひも帯を設け、ひも帯に内側マジックテープ、外側マジックテープを設け、ウエストにワンタッチで付けられる手拭きエプロンが開示されている。
【先行技術文献】
【特許文献】
【０００３】
【特許文献１】特開号公開２０１３−７１４６公報
【発明の概要】
【発明が解決しようとする課題】
【０００４】  従来のエプロンでは、手拭きタオルが必要となった際、そばになかった時には、タオルがあるところまで移動をしなければいけなかった。【０００５】  衣服の汚れを防止することを大きな目的とするエプロンは、主に胸部、腹部の辺りにあたる前面が、水はね、油はねなどの調理汚れ、作業中の汚れなどで集中して汚れる事が多いにも関わらず、清浄にするためには、汚れた前面だけではなくエプロン本体全体を洗濯しなければならず、洗濯、乾燥、時にはアイロンなどに要する時間と手間がかかるだけでなく、洗濯の頻度がエプロンの劣化に影響をしエプロン本体へのダメージが大きかった。【０００６】  上記背景技術の従来の手拭きエプロンでは、あらかじめ接着されたスナップやマジックテープ付きなど專用の取り換え用タオルが必要となり、手持ちのものを利用することが出来ないため、利便性や経済性に欠けていた。【０００７】  従来のポケット付きエプロンのポケットでは、レシピや買い物リスト等メモなどの薄い紙の出し入れには不便を伴い紛失することや、見たい時に直ぐに手に取り見る事が出来ないことがあった。
【課題を解決するための手段】
【０００８】  そこで本発明は、エプロン本体前身ごろの腹部に平行して、作業中に必要となる手拭き  タオルなどをかけられる物掛け部と、物掛け部に掛けられた手拭きタオルなどを固定したり、あるいは作業中に必要となる失いやすいメモやレシピなどの紙片を保持する役割を持った保持具を有し、着用者に衛生的で、利便性など機能性を高める構成にした。
【発明の効果】
【０００９】  本発明のエプロン本体に取り付けられた物掛け部により、簡単に手拭きタオル等がかけられ、手が汚れたときに物掛け部にかけたタオルでさっと手を拭け、タオルを取りに行く手間を省き、簡単に取り換えが可能なことで、いつも衛生的に使用でき、汚れが集中する腹部にタオルが掛けられていることで、エプロン本体の汚れを防止するという利点がある。
【図面の簡単な説明】
【００１０】
【図１】本発明の一例として表した、エプロン本体と物掛け部及び保持具を使用していない状態の平面図である。
【図２】本発明の一例として表した、エプロン本体と物掛け部及び保持具を使用している状態の平面図である。
【発明を実施するための形態】
【００１１】  本発明のエプロンにおいて、作業中に必要となる手拭きタオル等などをかけられる物掛け部は、ひも帯を本体前身ごろの腹部に平行して、ひも帯左端を左前身ごろ部、ひも帯右端を右端を右前身頃部に縫合する。
【００１２】  前記物掛け部のひも帯は長さについては、一般的な手拭き用で用いられるフェイスタオルの幅を目安とした３５ｃｍ程度を目安とするのが好ましいが限定されるものではない。また位置についてはエプロンの汚れを防ぐためには、エプロン前面の腹部中央あたりが良いが、着用者が手を拭きやすいなど好適な位置に設け、ファッション性やエプロンの用途により、物掛け部の取り付け位置は腹部中央部から上下左右にずれていても良く、限定されるものではない。
【００１３】  物掛け部のひも帯は、エプロン本体を身体に取付けるための取付け部材となるひも帯と一体になっていてもよい。例えば、取付け部材となるひも帯が、エプロンの胸部又は腹部と一体に設けられ、背後で結んで留めるようになっている場合、前述の長さ、位置を参照とし、物掛け部にあたる部分を縫合せず、エプロン本体から物掛け部分にあたるひも帯を浮かした状態の形状になっていても良い。
【００１４】  物掛け部に掛けたタオル等の重みによって物掛け部とタオルが垂れて下がるのを防止するため、あるいは作業中に必要となる失いやすいメモやレシピなどの紙片を保持するための保持具を物掛け部の上部に設ける。この場合、安定して保持できる位置調整をしながら、配置は物掛け部上部の左付近と右端付近に各一つずつ有するのが好ましいが限定されるものではない。
【００１５】  本発明に係るエプロン本体は、特定の形状や素材のものに限定されるものではなく、目的用途に応じた多様な形状や素材の種類のエプロンに適用することができる。
【００１６】  本発明において、保持具に用いる部材は、プラスチック製、金属製、木製など、ばねの弾力で開閉し挟持する挟持具とすることができる。このような挟持具としては、洗濯ばさみや赤ちゃんのスタイ留めに使用されるクリップをはじめ様々の種類のクリップなどが可能である。
【００１７】  エプロン本体と保持具との固定方法は、使用する保持具が指し示す固定方法に準じ、直接糸で縫いつけたり、保持具に設けられた切り込みに紐や、ゴム、金属製のチェーンなどを通し、端部をエプロン本体に固定させてもよい。
【００１８】  保持具はエプロン本体から伸びた吊り下げ式にしても良く、吊り下げる部材は、布製、プラスチック製の紐や、ゴム、金属製のチェーンのほか、吊り下げ部材として可能な部材であればよく限定されない。また保持具を吊り下げる部材の長さは、保持具を使用した際に物掛け部にかけられたものを安定して最適に保持する長さであればよく、限定されるものではない。
【００１９】  物掛け部の部材は、使用可能な材料である布製、不織布製、織布製、編布製、プラスチック製、皮革製、合成皮革製などでできた平紐、丸紐状にしたものや、テープ、リボン、ベルト、弾性または非弾性の平紐、丸紐などの紐や、金属製の鎖で構成してもよい。
【００２０】  保持具は本体、吊り下げる部材や固定する部材に装飾や着色が施されていても良い。
【００２１】  エプロン本体に物掛け部に掛けたタオルの下端部をポケットに容易に収容できるようポケット用の開口部を形成してもよい。
【００２２】  本発明を使用するときの一実施例として、図２に示すように、エプロン本体１の前身ごろ２に取り付けた物掛け部３にタオルを渡して掛け、上部に設けた保持具４でタオル５を固定して使用する。なお、図面に示された実施態様は、一実施形態であり何らの限定を受けるものではない。
【符号の説明】
【００２３】１  エプロン本体
２  前身ごろ部
３  物掛け部
４  保持部
５  タオル、ふきん等の布
【図１】
2019151958.tif 000003
【図２】
2019151958.tif 000004